(57)【要約】【課題】容器本体と、容器本体の開口を覆うキャップにより生花を収容する生花用合成樹脂容器において、容易に持つことができるようにする。【解決手段】キャップ１４の頭頂部に通気用の開口２４が設けられている。この開口２４を横切るように、つまみ部２６を架け渡して設ける。つまみ部２６を、親指と人差し指でつまむようにして、または人差し指をかけるようにして持つことにより、簡単に持ち運ぶことができる。また、ドーム部１８などに手を触れる必要がなく、汚れが付くのを防止することができる。【選択図】図１
2008302976.tif 000002
【特許請求の範囲】
【請求項１】
上方に開口を有する容器本体と、容器本体の開口を覆う透明のキャップとを有し、内部に生花を収容する生花用合成樹脂容器であって、
キャップには、その頭頂部に開口が設けられ、さらに、この開口を横切るように架け渡されたつまみ部が設けられた、
生花用合成樹脂容器。
【請求項２】
請求項１に記載の生花用合成樹脂容器であって、キャップはドーム形状を有し、つまみ部は前記ドーム形状の一部となっている、生花用合成樹脂容器。
【請求項３】
請求項１に記載の生花用合成樹脂容器であって、キャップはドーム形状を有し、つまみ部は前記ドーム形状から上方に突出している、生花用合成樹脂容器。
【請求項４】
請求項１〜３のいずれか１項に記載の生花用合成樹脂容器であって、つまみ部の厚さは、キャップの他の部分の厚さより厚い、生花用合成樹脂容器。
【請求項５】
請求項２または３に記載の生花用合成樹脂容器であって、前記開口の面積は、キャップ内の空間の水平断面の最大面積に対し１０パーセント以上２５パーセント未満である、生花用合成樹脂容器。
【発明の詳細な説明】
【技術分野】
【０００１】
本発明は、生花の輸送、展示等に用いられる合成樹脂製の生花用容器に関する。
【背景技術】
【０００２】
近年、生花を花器、かご等に生けたフラワーアレンジメントが室内装飾用、贈答用として人気を集めている。輸送中や店頭に展示しておく際に、生けられた生花を保護するために、花を覆うようにカバーまたはキャップを有する容器が提案されている（下記特許文献１参照）。この容器のキャップ等には、容器内部の通気性を確保するために、孔が設けられている。また、生花用容器として、グラス、パフェ用容器など、食品容器を用いた例が知られており、その一部には、これらの容器の開口を覆うように、カバーまたはキャップを設けた容器の提案もなされている。パフェ用容器を模した生花用の容器が下記特許文献２に記載されている。
【０００３】
【特許文献１】特開２００３−１２８１５４号公報
【特許文献２】登録実用新案第３１２８３２２号公報
【発明の開示】
【発明が解決しようとする課題】
【０００４】
容器を持ち運ぶ際に指をかける部分がないと不便である。カバーまたはキャップ付きの容器が多数並べて展示されているとき、そのうちの一つを上方より取り出そうとすると、キャップ部分を持つ必要がある。このとき、キャップの形によっては、うまく保持できない場合がある。また、キャップが透明であって、中の花が見えるようになっている場合には、キャップを触るとこれが汚れて見栄えが悪くなる場合がある。また、花を長持ちさせたいとの要望もある。
【０００５】
本発明は、生花用容器を持ちやすくすること、および花を長持ちさせることの少なくとも一方を達成することを目的とする。
【課題を解決するための手段】
【０００６】
本発明の生花用樹脂製容器は、キャップの頭頂部に開口が設けられ、この開口を横切るように架け渡されたつまみ部が設けられている。このつまみ部をつまむことで、容器を容易に持つことができる。
【０００７】
キャップは、その概略形状をドーム形状とすることができ、つまみ部は、このドーム形状の一部とすることができる。この場合、つまみ部で分割された開口のそれぞれに指、例えば親指と人差し指を差し入れ、これらの指で、つまみ部をつまんで持つことができる。
【０００８】
また、キャップは、その概略形状をドーム形状とすることができ、つまみ部は、このドーム形状から上方に突出するように形成することができる。この場合、つまみ部を、例えば親指と人差し指でつまんで持つことができ、また人差し指などをつまみ部の下側に差し入れ、引っ掛けるように持つことも容易である。
【０００９】
つまみ部は、キャップの他の部分より厚くすることができる。
【００１０】
また、ドーム形状のキャップに設けられた開口の面積は、このキャップ内の空間の水平断面の最大面積に対し、１０パーセント以上２５パーセント未満とすることが好ましい。
【発明を実施するための最良の形態】
【００１１】
以下、本発明の実施形態を図面に従って説明する。図１は、本実施形態の生花用容器１０の外観を示す図である。生花用容器１０は、上部に開口を有する容器本体１２と、容器本体１２の開口を覆うように容器本体１２に嵌合するキャップ１４を含む。容器本体１２およびキャップ１４は、例えば合成樹脂製とすることができ、真空成形、射出成形等により作製することができる。
【００１２】
容器本体１２は、図示するようにパフェの容器に類似した形状を有している。具体的には上部が広く開口しており、下方にいくに従って断面が小さくなり、下端には脚部１６が設けられている。これに、生花等を生け、生花を保護するためにキャップ１４を被せると、全体として食品のパフェの概略形状に類似する。容器本体１２は、例えば硬質の合成樹脂製であり、透明または半透明で、中の生花が外から見られることが好ましい。また、下方を半透明または不透明として、生花の茎の部分を見えにくいように、または見えないようにしてもよい。半透明、不透明とする手法としては、表面に凹凸を設けたり、着色したりする手法を採用することができる。
【００１３】
キャップ１４は、ドーム形状のドーム部１８を有し、ドーム部１８の下方の縁に容器本体と嵌合する嵌合部２０が設けられている。キャップ１４は、収容された生花を見ることができるように、全体が、または概略的に全体が透明となっている。この場合の透明とは、内部の生花が透けて見えるものであり、着色されたものも含む。一部に、不透明の模様を施すことも可能であり、この場合であっても基本的に内部の生花が見えるようにする。
【００１４】
嵌合部２０の周上一カ所にキャップ１４を容器本体１２から取り外すときに用いる舌部２２が設けられている。舌部２２は、嵌合部２０の外周部から外側に向けて延びる薄板片であり、これを引き上げるようにすることで、キャップの取り外しが容易となる。キャップ１４の頭頂部には開口２４が設けられている。この開口２４が通気孔となって、内部の生花が蒸れることを防止している。さらに、開口２４を横切るように架け渡されたつまみ部２６が設けられている。このつまみ部２６を、例えば、親指と人差し指でつまんで持ち上げ、持ち運ぶことができる。
【００１５】
図２，３は、キャップ１４の側面図および平面図である。図２においては、左半分が断面図となっている。キャップ１４のドーム形状は、図２に示されるように、釣り鐘型である。この形以外にも半球型などとすることもできる。前述のように頭頂部には、開口２４が設けられ、この開口は、図３に示されるように略円形である。開口２４を横切るように架け渡されたつまみ部２６は、図２において符号２８で示す釣り鐘型の概形線より上方に突出して、弧を描いた形状となっている。このつまみ部２６を親指と人差し指など２本の指でつまみ、生花用容器１０全体を持ち上げることができる。また、つまみ部２６の下側に人差し指など１，２本の指を入れて引っ掛けるようにして持ち上げることもできる。
【００１６】
嵌合部２０の内周面には、周方向に延びる係合条３０が設けられ、これが容器本体１２の開口の縁に係合して、容器本体１２とキャップ１４が容易に外れないようにしている。係合条３０は、この実施形態では全周にわたって設けられているが、周上の数カ所、好ましくは３〜４カ所に分割して設けてもよい。
【００１７】
つまみ部２６は、ドーム部１８など、キャップ１４の他の部分と同等の厚さとすることもできる。また、持ち運びの際の強度を確保するために、他の部分より厚く、例えば２倍の厚さとすることもできる。
【００１８】
ドーム部１８の、図３に符号３２で示す部分には、表面に凹凸を形成するなどして、不透明とした不透明処理部が設けられている。図に示すように、生花用容器１０においては、透明処理部３２は、半径方向に延びて、周方向に４カ所設けられている。４カ所の内の２カ所は、開口２４を横切るように設けられたつまみ部２６と連続性を有する位置に、つまり図３の平面図において、つまみ部２６と一直線となる位置に設けられ、他の２カ所は、つまみ部２６と直交する方向に設けられている。また、つまみ部２６そのものに不透明処理を施し、不透明処理部３２との連続性を強調することもできる。
【００１９】
図４は、キャップの他の形態を示す図である。このキャップ３４は、ドーム部１８、嵌合部２０の形状等は、図２，３に示すキャップ１４と同様であり、説明は省略する。キャップ３４は、そのつまみ部３６の形状が、前述のキャップ１４のつまみ部２６と異なっている。つまみ部３６は、開口２４を横切るように架け渡されているが、図４に示すように、側面図において、ドーム部１８の釣り鐘型の概略形状に一致する、言い換えれば釣り鐘型の一部となるように設けられている。見方を変えれば、釣り鐘型のキャップの頭頂部には隣接して２個の穴が設けられ、この２個の穴の間の部分がつまみ部３６となっている。この２個の穴が通気孔として機能する。
【００２０】
開口２４のつまみ部３６で仕切られた二つの部分に、例えば親指、人差し指など２本の指を差し入れ、これをつまむようにして生花用容器全体を持ち上げ、持ち運ぶようにできる。また、人差し指など１本の指をつまみ部３６の下側に回り込む用に差し入れ、引っ掛けるようにして生花用容器を持ち上げ、持ち運ぶようにもできる。このように、開口２４を形成する２個の穴は、それぞれ、指が入る程度の大きさとする必要がある。この形態のつまみ部３６も、キャップ３４の他の部分に比して厚く、例えば２倍の厚さにすることができる。
【００２１】
キャップ１４，３４などドーム形状をしたキャップを装着された生花用容器が複数縦横に並んで展示されている場合など、容器本体を持つために、手を入れるのが難しいことがある。このとき、この中から一つの容器を取り出そうとすると、キャップを持って上方に持ち上げるようになる。キャップにつまみ部２６，３６が設けられていることによって、容易に持ち上げることができる。持ち運びも容易である。特に、キャップのドーム部１８を直接、手で触らないで済むので、汚れなどが付かずに、きれいな状態を維持するのに有利となる。
【００２２】
キャップ頭頂部の通気用の開口２４の大きさに関し、花もちに好適な値を求めるために、下記の実験と行った。用いた容器は、図１及び２に記載された容器本体とキャップであり、キャップについては、頭頂部の開口面積を調整するために追加の加工を行っている。容器本体の高さは１５０ｍｍ、上部の開口は直径１２０ｍｍの円である。キャップの形状は、図２に示す釣り鐘形状であり、容器本体の嵌合部２０を除いた部分の高さは、つまみ部２６を含めて１３０ｍｍ、下部の開口は、同じく嵌合部を除いて直径１２０ｍｍの円である。つまみ部２６を含まない高さ、つまり図２に符号２８で示す釣り鐘型概形線の頂部までの高さは１１０ｍｍである。また、このキャップにおいて、キャップ内の空間の水平断面の内、最大面積となる断面は、嵌合部２０を除いた最も下部の断面である。上記の寸法において、高さとは、この生花用容器１０を脚部１６により水平な面に立てて置いた状態の高さである。また、水平断面とは、前記のように立てて置いた状態における水平面による断面である。
【００２３】
以下の実験において、開口面積の評価は、キャップ内の空間の最大の水平断面の面積に対する割合を変数として評価した。これは、花から蒸散した水分が適切に換気されることが花もちを左右すると考えられ、花の量はキャップ内の空間の容積に関連すると考えられるためである。本願の容器は、内部に花を収めるために、キャップの形状は、図示する釣り鐘型、または半球、球など全体としてふくらみをもった形状であり、一部分の水平断面が、他に比べて極端に大きいなどの形状は通常考えられないため、最大の水平断面の面積によって、内部の空間の大きさを代表することができると考えられる。
【００２４】
実験において用いた品種はストック（白）であり、２２−２６℃の室内での４８時間経過後の重量変化、目視の観察によって評価を行った。実験開始時においての容器、水、花全体の重量は２３０〜２４０ｇとした（全開時を除く）。また、開口面積が１００％（全開）のものは、キャップを外した状態であり、キャップの分だけ、他のものより重量は軽くなっている。他の開口面積のものは下記の表１に従った直径の円形の開口をキャップ頭頂部に開けたものである。表１において、上段は前述したキャップ内の空間の最大水平断面積に対する対する開口面積の比、下段は開口の直径である。
【００２５】
【表１】
2008302976.tif 000003
【００２６】
図５は、２４時間後、４８時間後の容器及び水を含む重量の変化を示す図である。また、下記表２には、４８時間後の外観観察結果が示されている。
【００２７】
【表２】
2008302976.tif 000004
【００２８】
開口面積が６％以下の場合、重量の変化が小さく、頭頂部の開口が通気孔として十分機能していないと考えられる。３％以上６％以下の場合、容器内部に水蒸気がつかない程度に通気されると考えられるが、花もちには十分な効果が認められない。１１％、１７％の場合、４８時間経過後も外観があまり変化していない。また、重量の減り方もほぼ同じである。２５％になると、しおれる花が見られる。２５％以上では、水分の蒸発・花の水分の吸い上げが多いために、早くしおれると考えられる。これから、開口面積が６％以下、２５％以上では、花もちがよくないと考えられる。よって、開口面積については、この値の間、１０％以上２５％未満とすることが花もちをよくする効果がある。
【００２９】
キャップが、図４に示される形状である場合、つまり、つまみ部３６が釣り鐘型の概略形状に沿って設けられる場合、つまみ部３６が頭頂部の開口２４の一部を覆う形となる。この場合の開口面積は、円形からつまみ部で覆われる部分の面積を差し引いたものとする。
【図面の簡単な説明】
【００３０】
【図１】本実施形態の生花用容器の外観斜視図である。
【図２】キャップの側面図である。
【図３】キャップの平面図である。
【図４】他のキャップの例を示す側面図である。
【図５】キャップ頭頂部の開口面積の違いによる水分の蒸発量の差を示す図である。
【符号の説明】
【００３１】
１０  生花用容器、１２  容器本体、１４，３４  キャップ、１８  ドーム部、２４  開口、２６，３６  つまみ部、２８  釣り鐘型の概形線。
【図１】
2008302976.tif 000005
【図２】
2008302976.tif 000006
【図３】
2008302976.tif 000007
【図４】
2008302976.tif 000008
【図５】
2008302976.tif 000009
【手続補正書】
【提出日】平成20年5月20日(2008.5.20)
【手続補正１】
【補正対象書類名】図面
【補正対象項目名】図５
【補正方法】変更
【補正の内容】
【図５】
2008302976.tif 000010